(57)【要約】【課題】不法投棄を効果的に防止することができる不法投棄防止装置を提供する。【解決手段】不法投棄の防止を示す文字を点灯表示する文字表示器３と、人体の接近を検出しその検出信号を出力する人感検出器９と、フラッシュ光を放射するフラッシュランプ６が設けられ、予め記憶した音声データを読み出して音声信号を出力し、スピーカーから不法投棄を防止するための音声を発生させる音声回路１４が設けられる。人感検出器９が人体の接近を検出したとき、フラッシュランプ６をフラッシュ動作させると共に、音声回路１４を動作させて不法投棄を防止するための音声を発生させる。【選択図】図１
2005010370.tif 000002
【特許請求の範囲】
【請求項１】
屋外に設置され、不法投棄を防止する不法投棄防止装置において、
不法投棄の防止を示す文字を点灯表示する文字表示器と、
人体の接近を検出しその検出信号を出力する人感検出器と、
フラッシュ光を放射するフラッシュランプと、
予め記憶した音声データを読み出して音声信号を出力し、スピーカーから不法投棄を防止するための音声を発生させる音声発生手段と、
該人感検出器が人体の接近を検出したとき、該フラッシュランプをフラッシュ動作させると共に、該音声発生手段を動作させて不法投棄を防止するための音声を発生させる制御手段と、
を備えたことを特徴とする不法投棄防止装置。
【請求項２】
昼と夜を判別する昼夜判別手段を備え、該昼夜判別手段が夜と判別したとき、前記文字表示器を点灯表示することを特徴とする請求項１記載の不法投棄防止装置。
【請求項３】
前記文字表示器、フラッシュランプ、音声発生手段の電源として、太陽光を受光可能に配設される太陽電池と、該太陽電池の起電力を蓄電する蓄電体と、が設けられたことを特徴とする請求項１記載の不法投棄防止装置。
【発明の詳細な説明】
【０００１】
【発明の属する技術分野】
本発明は、廃棄物を不法投棄され易い場所に設置され、各種の廃棄物の不法投棄を防止する不法投棄防止装置に関する。
【０００２】
【従来の技術】
近年、各家庭、工場、事務所などに物が溢れる状態になりつつあり、不要となった各種の家具、電気製品、雑貨物などの粗大ゴミを処分する際には、処分費用を廃棄者が負担するシステムに変りつつある。このため、不要となった粗大ゴミ、建築現場の廃材など、各種の廃棄物が、公共用地或いは私有地に関わらず、人気の少ない場所に、不法に投棄されるケースが少なからず発生し、周囲の環境を悪化させる点で大きな社会問題となっている。
【０００３】
そこで、従来、例えば下記特許文献１などにおいて、不法投棄され易い場所に設置される不法投棄防止装置として、不法投棄を止めさせるための表示を行うと共に点滅灯を点滅される不法投棄防止装置が提案されている。
【０００４】
【特許文献１】
特開２００１−６７０２７公報
【０００５】
【発明が解決しようとする課題】
しかし、この種の従来の不法投棄防止装置は、単に「不法投棄を止めましょう」の文字を標示部に標示すると共に、ダミーカメラを設置し、点滅灯が点滅するだけであるため、不法投棄がされ易い場所に設置したとしても、不法投棄の防止には効果があまり期待できないという課題があった。
【０００６】
本発明は、上述の課題を解決するものであり、効果的に不法投棄を防止することができる不法投棄防止装置を提供することを目的とする。
【０００７】
【課題を解決するための手段】
上記目的を達成するために、本発明の不法投棄防止装置は、屋外に設置され、不法投棄を防止する不法投棄防止装置において、不法投棄の防止を示す文字を点灯表示する文字表示器と、人体の接近を検出しその検出信号を出力する人感検出器と、フラッシュ光を放射するフラッシュランプと、予め記憶した音声データを読み出して音声信号を出力し、スピーカーから不法投棄を防止するための音声を発生させる音声発生手段と、人感検出器が人体の接近を検出したとき、該フラッシュランプをフラッシュ動作させると共に、音声発生手段を動作させて不法投棄を防止するための音声を発生させる制御手段と、を備えたことを特徴とする。
【０００８】
ここで、上記不法投棄防止装置においては、請求項２のように、昼と夜を判別する昼夜判別手段を備え、昼夜判別手段が夜と判別したとき、文字表示器を点灯表示することができる。また、請求項３のように、文字表示器、フラッシュランプ、音声発生手段の電源として、太陽光を受光可能に配設される太陽電池と、太陽電池の起電力を蓄電する蓄電体と、を設けることができる。
【０００９】
【作用】
このような構成の不法投棄防止装置は、粗大ゴミなどの廃棄物を不法投棄され易い場所に設置される。通常時には、周囲が暗くなり例えば昼夜判別手段が夜間と判定すると、文字表示器が点灯して、不法投棄の防止を示す文字、例えば「不法投棄監視中」などの文字を点灯表示する。
【００１０】
一方、不法投棄者がそこに近づくと、人感検出器が不法投棄者の接近を感知し、その検出信号を出力する。このとき、フラッシュランプが発光動作してフラッシュ光を放射し、さらに、音声発生手段が予め記憶した音声データを読み出して音声信号を出力し、スピーカーから「不法投棄監視中、ゴミを捨てないでください」などの不法投棄を防止するための音声を発生させる。フラッシュライトはカメラによる証拠写真の撮影を想起させる効果があり、また、音声による警告は不法投棄者に対して心理的な威嚇効果が期待でき、不法投棄を未然に防止することができる。
【００１１】
また、請求項３のように、文字表示器、フラッシュランプ、音声発生手段の電源として、太陽光を受光可能に配設される太陽電池と、太陽電池の起電力を蓄電する蓄電体と、を設けた構成とすれば、電源としての太陽電池と蓄電体を備えているため、商用電源は必要なく、電源線を敷設することなく簡単に且つ安価に設置することができ、また、停電時でも使用が可能となり、さらに、電気料金も不要となり、維持費を低減することができる。
【００１２】
【発明の実施の形態】
以下、本発明の一実施形態を図面に基づいて説明する。図１は不法投棄防止装置の正面図を示し、図２はその側面図を、図３はその底面矢視図を示している。この不法投棄防止装置は、廃棄物を不法投棄され易い場所に設置される装置であって、地面に立設した支柱２の上に円筒形のケース４を取り付けて構成され、その支柱２の正面側に文字表示器３が取り付けられ、ケース４の上には太陽電池（太陽電池パネル）５が設置されている。
【００１３】
文字表示器３は、例えば多数の発光ダイオード（例えば赤色ＬＥＤ）をＸ・Ｙ平面上でマトリックス状に配置して、或いは表示板上に不法投棄防止用の文字を透かし状に形成し、バックライト用のＬＥＤをその背面に配置して構成され、ＬＥＤを発光駆動させて文字を表示するように動作するものである。これにより、文字表示器３は、夜間に、例えば「不法投棄監視中」などの文字を点灯表示する（なお、この明細書で点灯とは点滅をも含む概念である）。
【００１４】
支柱２の上部に固定された円筒形のケース４の上部は傾斜して形成され、その傾斜した傾斜板の上に太陽電池５が取り付けられている。一方、ケース４の底部には、図３に示すように、２個のフラッシュランプ（ストロボランプ）６と、人体の接近を検出する２個の人感検出器９と、不法投棄防止用の音声を発生させるスピーカー８が取り付けられている。
【００１５】
さらに、円筒形のケース４内には、文字表示器３、フラッシュランプ６、音声回路１４などの制御を行う制御回路２０を含む制御ユニット１０が収納され、加えて太陽電池５の起電力を蓄電する蓄電体７が収納されている。蓄電体７としては、電気二重層コンデンサ、小形密閉式鉛蓄電池などが使用され、文字表示器３、フラッシュランプ６、音声回路などの電源とされる。そして、昼間にケース４上の太陽電池（太陽電池パネル）５が太陽光を受光し、起電力を発生すると、その起電力が蓄電体７に充電される。また、そこに蓄えられた電力は、夜間、文字表示器３などの電源として使用される。
【００１６】
制御ユニット１０内には、図４に示すように、太陽電池５の起電力を蓄電体７に供給して充電する充電回路１７、昼夜を判別しその信号を出力する昼夜判別回路１２、文字表示器３を点灯（点滅）駆動する点灯回路１３、フラッシュランプ６をフラッシュ動作させる点灯回路１５、及び音声回路１４などを制御する制御回路２０が内蔵されている。
【００１７】
制御回路２０は、例えばＣＰＵ、ＲＯＭ、入出力回路などを備えた演算処理回路から構成され、昼夜判別回路１２、人感検出器９から検出信号を入力し、予め記憶されたプログラムデータに基づき、それらの検出信号に応じてフラッシュランプ６、音声回路１４、文字表示器３などに点灯信号や再生指令信号を出力し、フラッシュランプ６や音声回路１４などの制御を行なう。
【００１８】
人感検出器９は、付近に近寄った人を検出するように、支柱２の上部のケース４の底部に下向きに装着される。人感検出器９としては、人体から放射される赤外線（熱線）を受光して人体を検出する焦電式または熱線式の人感検出器、人体に対し赤外線などの光線を照射し人体からの反射光線を受光して人体を検出する光線式人感検出器、周囲に超音波を送信し人体から反射して受信された超音波の送信から受信までの時間を計測して人体の接近を検出する超音波式人感検出器などを使用することができる。例えば、光線式人感検出器を使用する場合、赤外線の受光素子と投光素子を外側に向けて並設し、投光回路、受光回路、受光信号を検波して検出信号を出力する検出回路などから小型の検出器として構成することができる。
【００１９】
図４に示すように、太陽電池５は、充電回路１７に接続され、充電回路１７は制御回路２０に接続される。また、制御回路２０には、過充放電防止回路１６を介して蓄電体７が接続され、太陽電池５で発生した起電力が充電回路１７、制御回路２０、及び過充放電防止回路１６を通して蓄電体７に蓄電される。
【００２０】
文字表示器３を点灯する点灯回路１３の入力側には、その点灯と消灯を制御する制御回路２０が接続され、制御回路２０には昼夜判別回路２１が接続されている。制御回路２０は、昼夜判別回路１２が夜を判別したとき、点灯回路１３に点灯信号を送り、文字表示器３を点灯（点滅）させるように動作する。また、制御回路２０の出力側にはフラッシュランプ６をフラッシュ動作させるための点灯回路１５が接続されている。
【００２１】
昼夜判別回路１２は、太陽電池５の起電力を検出し、予め設定した基準電圧よりその起電圧が高い場合、昼と判断し、その起電圧が低い場合、夜と判断し、その判別信号を制御回路２０に送るように構成される。太陽電池５は太陽光を受けて発電し、その起電力を充電回路１７、制御回路２０、及び過充放電防止回路１６を通して蓄電体７に蓄電する。夜間になると、蓄電体７から放電される電力を点灯回路１３を通して文字表示器３に供給可能とする。
【００２２】
また、図４に示すように、制御ユニット１０内には音声回路１４が内蔵されて制御回路２０に接続されている。音声回路１４には、予め「不法投棄監視中、ゴミを捨てないでください」などの不法投棄を防止するための音声データが記憶され、制御回路２０からの再生指令信号を入力したとき、その記憶した音声データを読み出してアナログ信号に変換し、その音声信号を出力する。そして、音声信号を増幅した後、スピーカー８に供給して、スピーカー８からを音声を発生させるように構成されている。
【００２３】
上記のように構成された不法投棄防止装置は、廃棄物が投棄され易い場所、例えば公共用地或いは私有地などにおける人目につきにくく、不法投棄が行われ易い場所に設置される。昼間には、ケース４上に設置した太陽電池５が太陽光を受けて起電力を発生し、その起電力が充電回路２２を通して蓄電体７に充電される。
【００２４】
一方、周囲が暗くなると、昼夜判別回路１２が夜間と判定し、制御回路２０は、太陽電池５の起電力による蓄電体７への充電を停止し、蓄電体７の充電回路を放電側に切り替え、蓄電体７からの電力を文字表示器３などに給電するように制御する。そして、制御回路２０は、夜と判定されると、点灯回路１３に点灯信号を出力して、文字表示器３を点灯駆動（所定時間ごとの点滅）する。これにより、文字表示器３には、不法投棄の防止を示す文字、例えば「不法投棄監視中」などの文字が点灯（点滅）表示される。
【００２５】
一方、不法投棄者がこの装置に近づくと、ケース４の底部に設けた人感検出器９が不法投棄者の接近を感知し、その検出信号を制御回路２０に出力する。このとき、制御回路２０は、フラッシュ用の点灯回路１５に信号を出力し、同時に音声回路１４に再生指令信号を出力する。
【００２６】
このように、夜間にはフラッシュ用の信号と音声の再生指令信号の出力が共に行われる。これにより、フラッシュランプ６が発光動作してフラッシュ光を放射し、さらに、音声回路１４が予め記憶した音声データを読み出して音声信号を出力し、スピーカー８から「不法投棄監視中、ゴミを捨てないでください」などの不法投棄を防止するための音声が発生する。
【００２７】
このフラッシュ光の放射と「不法投棄監視中、ゴミを捨てないでください」の音声の発生は、人感検出器９が不法投棄者を感知する間、強力な光と大きな音響を伴って、繰り返し行うことができ、このような音声とフラッシュライトにより、廃棄物を不法に投棄しようとしている者に対し、不法投棄を効果的に止めさせることができる。また特に、フラッシュライトにはカメラによる証拠写真の撮影を想起させる効果があり、さらに、音声による警告には不法投棄者に対して心理的な威嚇効果が期待できるため、このような音声と光によって、不法投棄を未然に防止することができる。
【００２８】
さらに、本装置では、文字表示器３、フラッシュランプ６、音声回路１４の電源として、太陽光を受光可能に配設される太陽電池５と、太陽電池５の起電力を蓄電する蓄電体７が使用されるから、商用電源は必要なく、電源線を敷設することなく簡単に且つ安価に設置することができ、また、停電時でも使用が可能となり、さらに、電気料金も不要となり、維持費を低減することができる。
【００２９】
【発明の効果】
以上説明したように、本発明の不法投棄防止装置によれば、人感検出器が不法投棄者の接近を検出したとき、フラッシュランプがフラッシュ動作すると共に、不法投棄を防止するための音声が発生するから、廃棄物を不法に投棄しようとしている者に対し、効果的な警告を行うことができ、特に、フラッシュライトはカメラによる証拠写真の撮影を想起させる効果があり、また、音声による警告は不法投棄者に対して心理的な威嚇効果が期待できるため、不法投棄を思い留まらせ、不法投棄を未然に防止することができる。
【図面の簡単な説明】
【図１】本発明の一実施形態を示す不法投棄防止装置の正面図である。
【図２】同不法投棄防止装置の右側面図である。
【図３】図１のＩＩＩ−ＩＩＩ拡大矢視図である。
【図４】同不法投棄防止装置の構成ブロック図である。
【符号の説明】
２−支柱
３−文字表示器
４−ケース
５−太陽電池
６−フラッシュランプ
７−蓄電体
８−スピーカー
９−人感検出器
１１−充電回路
１２−昼夜判別回路
１４−音声回路
２０−制御回路
【図１】
2005010370.tif 000003
【図２】
2005010370.tif 000004
【図３】
2005010370.tif 000005
【図４】
2005010370.tif 000006